(57)【要約】【課題】容易に包装できる包装体を提供する。【解決手段】ストッパ１３の設けられたフラップ１２Ａ，１２Ｂを備えるシート状のベース部材１１からフラップ１２Ａ，１２Ｂをフラップ折曲線で曲げ起こす。さらに、ストッパ１３をストッパ折曲線で折り曲げてフラップ１２Ａ，１２Ｂの外向きに切り起こす。そして、箱状のカバー部材１５を上から被せて、フラップ１２Ａ，１２Ｂとカバー部材１５とを連結して包装する。【選択図】        図５
2004182279.tif 000002
【特許請求の範囲】
【請求項１】
フラップを備えるシート状のベース部材に箱状のカバー部材を上から被せ、フラップ折曲線で折り曲げて前記ベース部材から曲げ起こした前記フラップに連結して包装する包装体において、
前記フラップに、ストッパ折曲線で折り曲げて外向きに切り起こすストッパを設けることを特徴とする、包装体。
【請求項２】
前記ストッパに、前記フラップ折曲線に対して直角に設けられた前記ストッパ折曲線を挟んで２つの直線辺を設け、その一方の直線辺を前記フラップ折曲線上に設けることを特徴とする、請求項１に記載の包装体。
【請求項３】
前記２つの直線辺のうち、他方の直線辺を、自由端に向かうに連れて前記一方の直線辺に近付くように設けることを特徴とする、請求項２に記載の包装体。
【請求項４】
前記フラップに、複数の前記ストッパを設けることを特徴とする、請求項１に記載の包装体。
【請求項５】
前記ベース部材がパレット上に固定されていることを特徴とする、請求項１に記載の包装体。
【発明の詳細な説明】
【０００１】
【発明の属する技術分野】
この発明は、ベース部材と、そのベース部材からフラップ折曲線にて曲げ起こされるフラップとを備え、カバー部材を上から被せてそのカバー部材とフラップとを連結してなる、製品などを梱包する例えばダンボール製の梱包体などの包装体に関する。
【０００２】
【従来の技術】
図１０に示すように、従来の包装体の一例としての梱包体は、例えば、不図示の複写機などの製品を発泡スチロールなどの緩衝材を取り付けて、パレット１上に広げられたベース部材２の上に載置し、フラップ折曲線２Ａでフラップ３を手などで矢印のように曲げ起こして起立させた状態を保持したまま、上からカバー部材４を被せて、カバー部材４に設けられた連結穴４ａとフラップ３に設けられた連結穴３ａを重ね合せ、そこにジョイントを嵌め込んで連結してなる。
【０００３】
そして、フォークリフトでパレット１ごと梱包体を搬送して、倉庫に保管したり、トラックなどに積み込んでいた。
【０００４】
しかし、このような従来の梱包体では、複写機などの製品をベース部材２上に載置して、上からカバー部材４を被せる際に、フラップ３を手などで曲げ起こして起立させた状態を保持しなければならず、人手がかかり、梱包作業が煩雑であるという問題があった。
【０００５】
そこで、この発明は、容易に包装できる包装体を提供することにある。
【０００６】
【課題を解決するための手段】
そのため、請求項１に記載の発明によれば、フラップを備えるシート状のベース部材に箱状のカバー部材を上から被せ、フラップ折曲線で折り曲げて前記ベース部材から曲げ起こした前記フラップに連結して包装する包装体において、前記フラップに、ストッパ折曲線で折り曲げて外向きに切り起こすストッパを設けることを特徴とする。
【０００７】
請求項２に記載の発明によれば、請求項１に記載の包装体において、前記ストッパに、前記フラップ折曲線に対して直角に設けられた前記ストッパ折曲線を挟んで２つの直線辺を設け、その一方の直線辺を前記フラップ折曲線上に設けることを特徴とする。
【０００８】
請求項３に記載の発明によれば、請求項２に記載の包装体において、前記２つの直線辺のうち、他方の直線辺を、自由端に向かうに連れて前記一方の直線辺に近付くように設けることを特徴とする。
【０００９】
請求項４に記載の発明によれば、請求項１に記載の包装体において、前記フラップに、複数の前記ストッパを設けることを特徴とする。
【００１０】
請求項５に記載の発明によれば、請求項１に記載の包装体において、前記ベース部材がパレット上に固定されていることを特徴とする。
【００１１】
【発明の実施の形態】
以下、図面を参照しつつ、この発明の実施の形態について説明する。図１には、この発明の包装体の一例として、ダンボールによる梱包体のベース部材をパレット上に展開した図を示す。
【００１２】
パレット１０上に接着剤などで固定して展開されたシート状のベース部材１１は、ダンボールで矩形状に形成されており、その四方にフラップ折曲線１２ａ，１２ｂを介してフラップ１２Ａ，１２Ｂを延出して備える。そのフラップ１２Ａ，１２Ｂの両側には、フラップ折曲線１２ａ，１２ｂに対して直角に設けられたストッパ折曲線１３ａにて切り起されるストッパ１３を設ける。
【００１３】
そのストッパ１３の自由端にある側辺１３ｂの長さは、ストッパ折曲線１３ａの長さより短く形成される。また、ストッパ折曲線１３ａを挟んで２つの直線辺、上辺（他方の直線辺）１３ｃと下辺（一方の直線辺）１３ｄを設ける。下辺１３ｄは、フラップ折曲線１２ａ上に設け、さらに、上辺１３ｃを、自由端に向かうに連れて下辺１３ｄに近づくように設ける。
【００１４】
さらに、フラップ１２Ａには、後述するカバー部材とベース部材１１とを連結するための連結穴１４を２つ設ける。
【００１５】
このように構成されたベース部材１１に箱状のカバー部材を上から被せて、梱包体とするには、まず、図２に示すように、パレット上に接着剤などで固定されたベース部材１１のフラップ１２Ａをフラップ折曲線１２ａで矢印のように折り曲げて、ベース部材１１から曲げ起こして、ほぼ鉛直に起立させる。
【００１６】
次に、図３のように、フラップ１２Ａにあるストッパ１３をストッパ折曲線１３ａにて矢印のように、側辺１３ｂをフラップ１２Ａから離すようにして適当な角度で曲げ起すと、図４のように、ストッパ１３の下辺１３ｄがパレット１０の上面１０ａに接触してフラップ１２Ａの起立を保持する。
【００１７】
同様にして、フラップ１２Ｂをフラップ折曲線１２ｂにて曲げ起して起立させ、フラップ１２Ｂにあるストッパ１３をストッパ折曲線１３ａで折り曲げて外向きに曲げ起して、ストッパ１３の下辺１３ｄをパレット１０の上面１０ａに接触させることにより、フラップ１２Ｂの起立を保持すると、図５に示すようにフラップ１２Ａ，１２Ｂが自立して起立したベース部材１１となる。
【００１８】
そのベース部材１１に、例えば、不図示の複写機などの製品を発泡スチロールなどの緩衝材を取り付けて載置し、矢印のように上からダンボールで形成された箱状のカバー部材１５をフラップ１２Ａ，１２Ｂの外側から被せる。そして、フラップ１２Ａに設けられた連結穴１４に、カバー部材１５に設けられた連結穴１６を合わせて、ジョイント１７を嵌め込んでカバー部材１５をベース部材１１に連結して包装すると、箱状の梱包体となる。
【００１９】
なお、カバー部材１５を被せる際に、ストッパ１３は、詳しくは、図６〜９に示すように動作する。すなわち、図６において、カバー部材１５を矢印ｐのように下げるとカバー部材１５の下端部１５ａがストッパ１３の上辺１３ｃに当接し、ストッパ１３がストッパ折曲線１３ａを中心に矢印ｑのようにフラップ１２Ａに近づく方向に閉じる。すなわち、図７に示すように、下端部１５ａの内側角部が、上辺１３ｃの外側角部に当接した状態で、側辺１３ｂに向かって上辺１３ｃを下降する。
【００２０】
すると、図８に示すように、パレット１０上をフラップ１２Ａ，１２Ｂから外側に向かってそれぞれ開いていたストッパ１３には、カバー部材１５の下端部１５ａから矢印ｑのようにストッパ折曲線１３ａを中心として、フラップ１２Ａ，１２Ｂに近づく方向に内向きの力が作用して、遂には、図９に示すように、下端部１５ａが、ストッパ１３の上辺１３ｃ上を側辺１３ｂ側にまで達して離れ、カバー部材１５の下端部１５ａがパレット１０の上面１０ａに到達して、ベース部材１１上に載置された製品をカバー部材１５で完全に被う。
【００２１】
また、この例では、フラップ１２Ａ，１２Ｂにそれぞれストッパ１３を２つずつ設けたが、この発明はこれに限定されるものではなく、フラップ１２Ａ，１２Ｂにそれぞれストッパ１３をいくつ設けてもよい。
【００２２】
さらに、この例では、ベース部材１１をパレット１０上に接着剤などで固定したが、この発明はこれに限定されるものではなく、ベース部材１１をパレット１０上に接着剤などで固定せず、床面に直置きして、その上に製品などを載置してもよい。
【００２３】
また、この例では、ベース部材１１とカバー部材１５をダンボールで構成したが、この発明はこれに限定されるものではなく、あらゆる素材で構成し得る。
【００２４】
【発明の効果】
以上、詳述したように、この発明によれば、フラップに、ストッパ折曲線で折り曲げて外向きに切り起こすストッパを設けるので、フラップがストッパにより自立して起立し、カバー部材を被せる際にフラップを手などで起立させて保持する手間が省け、容易に包装できる包装体を提供することができる。
【００２５】
請求項２に記載の発明によれば、ストッパに、フラップ折曲線に対して直角に設けられたストッパ折曲線を挟んで２つの直線辺を設け、その一方の直線辺をフラップ折曲線上に設けるので、ストッパをフラップから曲げ起したとき、ベース部材を載置した面に一方の直線辺が全体に渡って当接し、フラップを確実に起立させることができる。
【００２６】
請求項３に記載の発明によれば、２つの直線辺のうち、他方の直線辺を、自由端に向かうに連れて一方の直線辺に近付くように設けるので、カバー部材を被せたとき、他方の直線辺に当接して、その直線辺上を自由端に向かって移動することによりストッパを内向きに閉じる作用が生じ、別途作業を必要とせずに、容易にストッパを閉じてカバー部材を被せることができる。
【００２７】
請求項４に記載の発明によれば、フラップに、複数のストッパを設けるので、より確実にフラップを起立させることができる。
【００２８】
請求項５に記載の発明によれば、ベース部材がパレット上に固定されているので、フォークリフトなどで包装体を容易に搬送することができる。
【図面の簡単な説明】
【図１】この発明の包装体一例としての梱包体のベース部材をパレット上に展開した図である。
【図２】そのベース部材のフラップを曲げ起こす状態を示す図である。
【図３】そのフラップのストッパを起こす状態を示す図である。
【図４】ストッパを起こした状態を示す図である。
【図５】その状態のベース部材にカバー部材を被せる様子を示す図である。
【図６】カバー部材がストッパに当接している状態を説明するための図である。
【図７】同じくカバー部材がストッパに当接している状態を説明するための図である。
【図８】カバー部材がストッパを内側に押している状態を説明するための図である。
【図９】ベース部材をカバー部材で被った状態を示す図である。
【図１０】従来の梱包体を示す図である。
【符号の説明】
１０    パレット
１１    ベース部材
１２Ａ，１２Ｂ    フラップ
１２ａ，１２ｂ    フラップ折曲線
１３    ストッパ
１３ａ    ストッパ折曲線
１３ｂ    側辺
１３ｃ    上辺（他方の直線辺）
１３ｄ    下辺（一方の直線辺）
１５    カバー部材
１５ａ    下端部
【図１】
2004182279.tif 000003
【図２】
2004182279.tif 000004
【図３】
2004182279.tif 000005
【図４】
2004182279.tif 000006
【図５】
2004182279.tif 000007
【図６】
2004182279.tif 000008
【図７】
2004182279.tif 000009
【図８】
2004182279.tif 000010
【図９】
2004182279.tif 000011
【図１０】
2004182279.tif 000012